(57)【要約】【解決課題】  本発明は、救急車両に載置される担架、又は患者搬送用のストレッチャーや車椅子等の側面に強固に着設することができて、移動の際にも内管に外管が接触して金属音を発することがない安定した点滴用の瓶又はバックを吊り下げる吊架を提供する。【解決手段】  点滴用の瓶、又はバックを吊り下げる吊架１００の内管１３に楕円形状、又は多角形状とした内管１３を用いて外管１５に挿入し、外管１５内で内管１３が当たって音が出ないようにした。また、その内管１３の外周の一方側の上下に複数個の孔１６を穿設して、この孔１６にピンを挿入して高さの調節が簡単にできるようにした。【選択図】図１
2006320524.tif 000002
【特許請求の範囲】
【請求項１】
外周の一方側に複数個の孔が穿設された楕円形状の内管と該楕円形状の内管を摺動可能に挿入する外管とよりなる点滴用の瓶又はバッグを吊り下げる吊架であって、前記内管の外周の一方側に穿設された孔にピンを挿入して高さの調節が可能であることを特徴とする点滴用瓶又はバックを吊り下げる吊架。
【請求項２】
外周の一方側に複数個の孔が穿設された多角形状の内管と該多角形状の内管を摺動可能に挿入する外管とよりなる点滴用の瓶又はバッグを吊り下げる吊架であって、前記内管の外周の一方側に穿設された孔にピンを挿入して高さの調節が可能であることを特徴とする点滴用瓶又はバックを吊り下げる吊架。
【請求項３】
高さ調節のために内管の外周の一方側に穿設された孔からピンを脱抜するレバーが着設された高さ調節部材が外管の最上端に取着されていることを特徴とする請求項１又は請求項２に記載の点滴用の瓶又はバックを吊り下げる吊架。
【発明の詳細な説明】
【技術分野】
【０００１】
本発明は救急車両に載置される担架の側面、又は患者搬送用のストレッチャーや車椅子等の側面に着設するための点滴用の瓶、又はバックを吊り下げる吊架に関わる。
【背景技術】
【０００２】
点滴用架台は点滴用の薬液が入ったビンやバッグを吊すものである。点滴用架台の吊架は外管に内管が挿入されており、点滴用のバッグを吊り下げて移動したりすると内管と外管が衝突して音を発して、他の患者に不快感を与えたりする等の問題がある。このために移動の際にもがたがたしない静かな点滴用の瓶、又はバックを吊り下げる吊架を提供するために種々の工夫がされている。
【０００３】
特許文献１の点滴器用ハンガーは、上面に犬舎の棚等へ係止する係止具を突設し、長手方向中央に取付位置調整用の長孔を穿設してなる長方形の第一架台と、上面一端に点滴器のアームを支持、固定するシャフトを突設し、長手方向中央に取付位置調整用の長孔を穿設してなる長方形の第二架台とを設け、前記第一架台と第二架台の各長孔を所用位置及び角度にて互いに合致させると共に、当該合致部を止め具にて締付け固定することを特徴とする点滴器用ハンガーが開示されている。
【０００４】
特許文献２の点滴用架台は、下端部にキャスターを有する外管と、上端部に点滴用バッグを吊架するフックが設けられたアームを有する内管よりなる点滴用架台の、前記内管の挿入端部に取着するための緩衝用キャップであって、該緩衝用キャップの外径は外管の内径よりも大きく、該緩衝用キャップに少なくとも一つの空気孔を有することを特徴とする緩衝用キャップが開示されている。
【０００５】
特許文献１の点滴器用ハンガーは、大きさやアームの取付位置が異なる各種の点滴器に対応する犬猫等の小屋に吊すことを目的としているものであり、第一架台と第二架台を設けて調節するようになっている。特許文献２の点滴用架台は点滴用架台を移動させる時に内管と外管が当たって音を発して周囲に迷惑をかけることを防ぐために、緩衝用キャップが考案されたものである。このような公知の点滴用架台は車椅子や救急用車両に載置される担架や、車椅子に着設するために考案されたものではない。救急用車両に載置される担架や、患者搬送用のストレッチャーや車椅子に着設する点滴用の吊架は強固で、しかも着設した際にがたがたしない安定した点滴用の吊架であることが必要である。このような車椅子や救急用車両その他患者搬送用のストレッチャーに載置される点滴用の吊架としては、前記担架やストレッチャー、車椅子等の側枠に強固に着設することができて、しかも、移動中にがたがた音のしない安定した点滴用の吊架の出現が望まれている。
【特許文献１】実用新案登録第３０６１３７６号公報
【特許文献２】実用新案登録第３０９６２３９号公報
【発明の開示】
【発明が解決しようとする課題】
【０００６】
本発明は、救急車両に載置される担架、又は患者搬送用のストレッチャーや車椅子等の側面に強固に着設することができて、移動の際にも内管に外管が接触して金属音を発することがない安定した点滴用の瓶又はバックを吊り下げる吊架を提供することにある。
【課題を解決するための手段】
【０００７】
上記課題を解決するために鋭意研究を重ねた結果、点滴用の瓶やバックを吊り下げる吊架の内管を楕円形状、又は多角形状とした内管を用い、その内管の外周の一方側の上下方向に複数個の孔を穿設して、この孔にピンを挿入して高さの調節ができるようにすることによって、着脱が簡単に行える吊架接続部材で強固に固定することができる点滴用の吊架の創成に成功した。
【０００８】
本発明の第１の特徴は、外周の一方側に複数個の孔が穿設された楕円形状の内管と該楕円形状の内管を摺動可能に挿入した外管とよりなる点滴用の瓶又はバッグを吊り下げる吊架であって、前記内管の外周の一方側に穿設された孔にピンを挿入して高さの調節が可能であることを特徴とする点滴用の瓶又はバックを吊り下げる吊架である。内管を楕円形状とすることにより内管と外管のがたつきをなくし、移動中に外管に内管が当たって金属音を発するのを防ぐことができる。内管の一方側の上下方向に複数個の孔を穿設してピンを挿入して固定することにより、点滴用の瓶又は点滴用のバックを吊り下げた内管が移動中に振動で外管内に落下するのを防ぐことができる。
【０００９】
本発明の第２の特徴は、外周の一方側に複数個の孔が穿設された多角形状の内管と該多角形状の内管を摺動可能に挿入する外管とよりなる点滴用の瓶又はバッグを吊り下げる吊架であって、前記内管の外周の一方側に穿設された孔にピンを挿入して高さの調節が可能であることを特徴とする点滴用の瓶又はバックを吊り下げる吊架である。内管に多角形状の内管を使用することによって、外管内で内管が回転せず、移動の際のがたつき音の発生をなくした点滴用の瓶又はバックを吊り下げる吊架とすることができる。
【００１０】
本発明の第３の特徴は、高さ調節のために内管の外周の一方側に穿設された孔からピンを脱抜するレバーが着設された高さ調節部材が外管の最上端に取着されていることを特徴とする請求項１又は請求項２に記載の点滴用の瓶又はバックを吊り下げる吊架である。点滴用の瓶又はバックを吊り下げる吊架の高さを調節して内管を外管に固定するために内管の側面に穿設された孔にピンを挿入する。このピンを脱抜するためのレバーを調節部材に着設することによって、レバーの操作でピンの脱抜が簡単にできるようになり、点滴用の瓶又はバックの高さの調節が簡単にできる。
【発明の効果】
【００１１】
内管を楕円形状又は多角形状とすることにより内管と外管のがたつきをなくし、移動中に内管と外管が当たって金属音を発するのをなくす効果がある。内管の外周の一方側の上下方向に複数個の孔を穿設して、この孔にピンを挿入して固定することにより、点滴用の瓶や点滴用のバックを吊り下げた内管の高さを簡単に調節できると共に、移動中に振動で内観が外管内に落下するのを防ぐことができる。内管の側面に穿設された孔に挿入されたピンを脱抜するためにレバーを付けることによってピンの脱抜が簡単になり、点滴用の瓶又はバックの高さの調節が素早くできる。
【発明を実施するための最良の形態】
【００１２】
以下に図面を用いて本発明の実施の態様についていくつかの好ましい形態を例示するが、以下の例示は特許請求の範囲に記載された発明の範囲を限定することを意図するものではない。
【００１３】
図１は本発明の点滴用瓶、又はバッグを吊り下げる吊架１００を示す。吊架の上端のアーム１１の両側に点滴用の瓶やバックを吊り下げるフック１２を有する内管１３の形状は楕円形状をしている。楕円形状の内管の長て側１３ａの両側面は平になっている。短て側１３ｂは半円状であり、その単て側に高さ調節用の孔１６が上下方向に複数個穿設されている。点滴用の瓶、又はバッグを吊り下げる吊架１００のアーム１１は長くしても短くしても良く、点滴用の瓶、又はバッグを吊り下げる吊架１００を装着するもの、例えば担架や車椅子、ストレッチャー等によってアーム１１の長さ、フック１２の形状は適宜変更される。また、内管１３と外管１５の長さの吊架を装着するもの、例えば担架や車椅子、ストレッチャー等によって適宜変更され、特に限定されるものではない。
【００１４】
図２は、内管が多角形状の本発明の点滴用の瓶、又はバッグを吊り下げる吊架２００である。内管１３の上端のアーム１１の両側に点滴用の瓶やバックを吊り下げるフック１２を有する内管１３の形状は六角形状を例示している。六角形状の内管１３の一側面の上下方向に複数個の孔１６を穿設してピン１７ａで固定するようになっている。このように本発明の点滴用の瓶、又はバッグを吊り下げる吊架１００、又は２００の内管１３の形状は楕円形状、六角形状に限定されない。内管の多角形状としては、六角形状の他に四角であっても、八角であっても良く、内管１３を外管１５に挿入した時に内管１３が外管１５内で回転しない形状であれば良い。
【００１５】
図３（３−１）は点滴用の瓶、又はバッグを吊り下げる吊架の高さを調節する調節部材１４と外管１５と内管１３の接続方法と、その上面図を図（３−２）に示している。調節部材１４は外管１５の上端部にネジ１４ｅ、１４ｄで螺着されており、調節部材１４にはバネが付勢されたピン１７ａとこのピン１７ａを脱抜操作するレバー１７が取着されている。ピン１７ａは内管１３の側壁に穿設された孔１６に挿入して、内管１３を任意の位置に固定している。図（３−２）の上面図に示すように本発明の点滴用の瓶、又はバッグを吊り下げる吊架は楕円形状の内管１３が調節部材１４の先端部１４ｂの楕円形状に当接して安定に支持されているので、移動時にも内管１３と外管１５が接触して音を発することがない。多角形状の内管、例えば六角形状の内管を使用する場合は、調節部材１４の先端部１４ｂが六角形状をしている。
【００１６】
調節部材１４の各部分は図４に示すようである。図（４−１）は調節部材１４の後側（レバーが着設されている側）であって、先端部１４ｂは内管１３を挿入する側である。調節部材１４の下端部１４ｃは外管１５が挿入される側である。図（４−２）は調節部材１４の側面１４ａを示し、下端部１４ｃから外管１５を挿入してネジ１４ｄと１４ｅで外管１５を両側から挟むようにして締め付けて調節部材１４を外管１５に固定する。ネジ１４ｄの内側にはレバー１７を固定する孔１４ｆが設けられている。図（４−３）は調節部材１４を正面から示すものである。正面の溝１４ｇはネジ１４ｅで外管１５を挟着するように強固に締め付けるために設けられた溝１４ｇである。図（４−４）は調節部材１４を上から示すもので、外管１５の前後を締め付けるためのネジ１４ｄと１４ｅの位置関係、内管１３を挿入する調節部材１４の上端部１４ｂの形状は楕円形状、若しくは多角形状をしている。図（４−５）は図（４−２）の他方側の側面と、図（４−６）は調節部材１４の断面を示している。
【００１７】
図５は、図４に示した調節部材１４のレバー１７を固定する孔１４ｆに着設するレバー１７を示す。レバー１７は図（５−１）に示すように側面から見ると屈曲し、ネジ１７ｃの位置を中心に押部１７ｂを押すとバネが付勢されたピン１７ａが上がる。ピン１７ａは内管１３の側面に穿設された孔１６に挿入されると内管を固定する。押部１７ｂは孔１６に挿入されたピン１７ａを脱抜させるレバー１７を押す部分である。図（５−２）はピン１７ａ側の上部から、図（５−３）は図（５−１）の反対側の側面を示している。図（５−４）はレバー１７の上面図であり、レバー１７の押部１７ｂは指が滑らないように細かな溝が幾本も掘られている。
【００１８】
図６は本発明の点滴用の瓶又はバッグを吊す吊架を担架に着設した例を示している。ストレッチャーの上に載置する担架のフレーム１９に接続部材（１）１８を着設した。接続部材（１）１８の装着位置は担架の保護部材２０が着設されている略中央付近に接続部材（１）１８を着設して、その接続部材（１）１８に本発明の点滴用の瓶又はバッグを吊す吊架の外管１５を着設した。図７は図６に示した担架のフレーム１９に装着した接続部材（１）１８を拡大した図面である。接続部材（１）１８は担架のフレーム１９に接続する部分１８ｃと接続部材（１）１８の端部の外側と内側の双方に歯１８ｂが削成されており、吊架を寝かしたり起こしたりした場合に、吊架を一定の角度で保持するためにこの歯が噛合して固定される。接続部材（１）１８の下部の外側にこの歯の噛合を緩めたり噛合させて固定するためのハンドル１８ａが着設されている。接続部材（１）１８の上部に点滴用の瓶又はバッグを吊す吊架の外管１５を挿入する挿入部１８ｄがあり、この外管１５の挿入部１８ｄに外管１５を挿入してネジ１８ｅで固定する。図８は担架のフレーム１９に接続部材（１）１８で着設された点滴用の瓶又はバッグを吊す吊架を倒して、担架の側面に着設された挟着部材１９ａに点滴用の瓶又はバッグを吊す吊架の上部を挟着して収納した状態を示している。
【００１９】
図９は担架に点滴用の瓶又はバッグを吊す吊架を着設するための接続部材（２）２３の別の態様を示している。担架のフレーム１９のガードフレーム２０の下に挟着部材１９ａを２箇所着設し、この挟着部材１９ａに点滴用の瓶又はバッグを吊す吊架の下部末端にボルト１５ａを装着した点滴用の瓶又はバッグを吊す吊架１００、又は２００を掛けておき、担架のガードフレーム２０の外側にはナット２３ａを有する接続部材（２）２３を着設する。点滴用の瓶又はバッグを吊す吊架を必要とする場合はこのナットを有する接続部材（２）２３に点滴用の瓶又はバッグを吊す吊架の下部末端のボルト１５ａを螺着する。この接続部材（２）２３は接続部材（１）１８に比して場所を取らない効果を有している。
【００２０】
図１０は車椅子に本発明の点滴用の瓶、又はバッグを吊り下げる吊架１００、又は２００を着設した例を示している。車椅子２４の下部に着設されているテッピングパイプ２５の後端部に接続部材（３）２６を図（１０−３）に示すネジ２６ａと２６ｂのネジで締め付けて固定する。点滴用の瓶又はバッグを吊す吊架の外管を挿入する挿入部２６ｃに点滴用の瓶又はバッグを吊す吊架の外管１５を挿入してハンドル２６ｄで締め付けて点滴用の瓶又はバッグを吊す吊架を固定する。点滴用の瓶又はバッグを吊す吊架の外管１５の上部を固定するために車椅子２４のハンドルのフレーム２７に図（１０−１）に示す固定部材２８を着設し、ホルダー２８ａに点滴用の瓶又はバッグを吊す吊架の外管１５を挿入して固定する。
【００２１】
本発明の点滴用の瓶、又はバッグを吊り下げる吊架は以上のようにいろいろな形状の接続部材を用いることによって、車椅子や担架、その他救急患者を搬送するストレッチャー等に着設することができるが、これらの例に限定されることなく、接続部材を着設してベッド等必要とされる箇所にも簡単に着設することができる。
【図面の簡単な説明】
【００２２】
【図１】内管が楕円形状の点滴用の瓶、又はバッグを吊り下げる吊架の斜視図である。
【図２】内管が六角形状の点滴用の瓶、又はバッグを吊り下げる吊架の斜視図である。
【図３】点滴用の瓶、又はバッグを吊り下げる吊架の部分側面図と断面図である。
【図４】点滴用び瓶、又はバッグを吊り下げる吊架の高さ調節部材の分解図である。
【図５】点滴用の瓶、又はバッグを吊り下げる吊架の高さ調節部材のレバー部分の分解図である。
【図６】点滴用の瓶、又はバッグを吊り下げる吊架を担架の側面に装着して吊架を立てた状態の部分斜視図である。
【図７】点滴用の瓶、又はバッグを吊り下げる吊架を担架の側面に装着する接続部材の部分斜視図である。
【図８】点滴用の瓶、又はバッグを吊り下げる吊架を担架の側面に装着する接続部材の部分斜視図である。
【図９】点滴用の瓶、又はバッグを吊り下げる吊架を担架の側面に装着して折り畳んだ状態の部分斜視図である。
【図１０】点滴用の瓶、又はバッグを吊り下げる吊架を車椅子に装着した側面図である。
【符号の説明】
【００２３】
１００：内管が楕円形状の点滴用の瓶、又はバッグを吊り下げる吊架
２００：内管が多角形状の点滴用の瓶、又はバッグを吊り下げる吊架
１１：アーム
１２：フック
１３：内管
１４：調節部材
１５：外管
１６：調節用孔
１７：レバー
１８：吊架接続部材（１）
１９：担架のフレーム
２０：担架のガードフレーム
２１：ストレッチャーのフレーム
２２：ストレッチャーの脚部
２３：吊架接続部材（２）
２４：車椅子
２５：テッピングパイプ
２６：吊架接続部材（３）
２７：ハンドルのフレーム
２８：吊架固定部材
【図１】
2006320524.tif 000003
【図２】
2006320524.tif 000004
【図３】
2006320524.tif 000005
【図４】
2006320524.tif 000006
【図５】
2006320524.tif 000007
【図６】
2006320524.tif 000008
【図７】
2006320524.tif 000009
【図８】
2006320524.tif 000010
【図９】
2006320524.tif 000011
【図１０】
2006320524.tif 000012